【手続補正書】
【提出日】平成30年1月26日(2018.1.26)
【手続補正１】
【補正対象書類名】明細書
【補正対象項目名】００１５
【補正方法】変更
【補正の内容】
【００１５】
上記の目的を達成するため、本発明による合焦制御装置は、撮像素子からの出力信号に基づく一対の像信号を用いて位相差検出方式によってデフォーカス量を検出する第１の検出手段と、前記撮像素子からの出力信号に基づきコントラスト検出方式によって前記撮像素子からの出力信号の焦点評価値を検出する第２の検出手段と、前記デフォーカス量の信頼度を求める信頼度算出手段と、前記信頼度に基づいてフォーカスレンズを移動させる際の移動量を変更させる制御手段と、を有し、前記制御手段は、前記信頼度が第１の信頼度よりも低い第２の信頼度未満の場合、又は前記第１の信頼度以下であって第２の信頼度以上でありデフォーカス方向が現在のフォーカスレンズの移動方向と同一でない場合、前記デフォーカス量に拘わらず所定量だけ前記フォーカスレンズを移動させることを特徴とする。
【手続補正２】
【補正対象書類名】明細書
【補正対象項目名】００１６
【補正方法】変更
【補正の内容】
【００１６】
本発明による撮像装置は、前記撮像素子が、撮像光学系の射出瞳を通過する光を受光する撮影用画素と前記射出瞳の一部領域を通過する光を受光する焦点検出用画素とを有し、上記の合焦制御装置と、前記合焦制御装置によって合焦と判定された際に前記撮像素子で得られた画像信号を記録媒体に記録する記録手段と、を有することを特徴とする。
【手続補正３】
【補正対象書類名】明細書
【補正対象項目名】００１７
【補正方法】変更
【補正の内容】
【００１７】
本発明による合焦制御装置の制御方法は、撮像素子からの出力信号に基づく一対の像信号を用いて位相差検出方式によってデフォーカス量を検出する第１の検出ステップと、前記撮像素子からの出力信号に基づきコントラスト検出方式によって前記撮像素子からの出力信号の焦点評価値を検出する第２の検出ステップと、前記デフォーカス量の信頼度を求める信頼度算出ステップと、前記信頼度に基づいてフォーカスレンズを移動させる際の移動量を変更させる制御ステップと、を有し、前記制御ステップでは、前記信頼度が第１の信頼度よりも低い第２の信頼度未満の場合、又は前記第１の信頼度以下であって第２の信頼度以上でありデフォーカス方向が現在のフォーカスレンズの移動方向と同一でない場合、前記デフォーカス量に拘わらず所定量だけ前記フォーカスレンズを移動させることを特徴とする。
【手続補正４】
【補正対象書類名】明細書
【補正対象項目名】００１８
【補正方法】変更
【補正の内容】
【００１８】
本発明による制御プログラムは、合焦制御装置で用いられる制御プログラムであって、
前記合焦制御装置が備えるコンピュータに、撮像素子からの出力信号に基づく一対の像信号を用いて位相差検出方式によってデフォーカス量を検出する第１の検出ステップと、前記撮像素子からの出力信号に基づきコントラスト検出方式によって前記撮像素子からの出力信号の焦点評価値を検出する第２の検出ステップと、前記デフォーカス量の信頼度を求める信頼度算出ステップと、前記信頼度に基づいてフォーカスレンズを移動させる際の移動量を変更させる制御ステップと、を実行させ、前記制御ステップでは、前記信頼度が第１の信頼度よりも低い第２の信頼度未満の場合、又は前記第１の信頼度以下であって第２の信頼度以上でありデフォーカス方向が現在のフォーカスレンズの移動方向と同一でない場合、前記デフォーカス量に拘わらず所定量だけ前記フォーカスレンズを移動させることを特徴とする。
【手続補正５】
【補正対象書類名】明細書
【補正対象項目名】００１９
【補正方法】変更
【補正の内容】
【００１９】
本発明によれば、コントラスト検出方式および位相差検出方式を用いたハイブリッドＡＦにおいて、常に安定的にＡＦ制御を行うことができる。
【手続補正６】
【補正対象書類名】明細書
【補正対象項目名】００６０
【補正方法】変更
【補正の内容】
【００６０】
上述の説明から明らかなように、図１に示す例では、システム制御部２０８および撮像面位相差焦点検出部２１３が第１の検出手段として機能し、システム制御部２０８およびコントラストＡＦ焦点検出部２１５が第２の検出手段として機能する。また、システム制御部２０８は信頼度算出手段として機能し、システム制御部２０８、レンズコントローラ１０５、およびモータ１０４は制御手段として機能する。
【手続補正７】
【補正対象書類名】明細書
【補正対象項目名】００６１
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
撮像素子からの出力信号に基づく一対の像信号を用いて位相差検出方式によってデフォーカス量を検出する第１の検出手段と、
前記撮像素子からの出力信号に基づきコントラスト検出方式によって前記撮像素子からの出力信号の焦点評価値を検出する第２の検出手段と、
前記デフォーカス量の信頼度を求める信頼度算出手段と、
前記信頼度に基づいてフォーカスレンズを移動させる際の移動量を変更させる制御手段と、を有し、
前記制御手段は、前記信頼度が第１の信頼度よりも低い第２の信頼度未満の場合、又は前記第１の信頼度以下であって第２の信頼度以上でありデフォーカス方向が現在のフォーカスレンズの移動方向と同一でない場合、前記デフォーカス量に拘わらず所定量だけ前記フォーカスレンズを移動させることを特徴とする合焦制御装置。
【請求項２】
前記制御手段は、前記信頼度が前記第１の信頼度以下であって前記第２の信頼度以上であり前記デフォーカス方向が現在のフォーカスレンズの移動方向と同一である場合、前記デフォーカス量の所定の割合だけ前記フォーカスレンズを移動させることを特徴とする請求項１に記載の合焦制御装置。
【請求項３】
前記制御手段は、前記信頼度が前記第１の信頼度よりも高い場合に前記フォーカスレンズが移動されていると前記フォーカスレンズを停止することを特徴とする請求項１又は２に記載の合焦制御装置。
【請求項４】
前記制御手段は、前記信頼度が前記第１の信頼度よりも高い場合に前記フォーカスレンズが移動されていない状態であって、前記デフォーカス量が焦点深度内である場合には合焦であると判定し、前記フォーカスレンズを移動させないことを特徴とする請求項１乃至３のいずれか１項に記載の合焦制御装置。
【請求項５】
前記制御手段は、前記信頼度が前記第１の信頼度よりも高い場合に前記フォーカスレンズが移動されていない状態であると、前記デフォーカス量が焦点深度内でない場合には前記デフォーカス量に応じてフォーカスレンズを移動させることを特徴とする請求項１乃至３のいずれか１項に記載の合焦制御装置。
【請求項６】
前記制御手段は、前記信頼度が前記第１の信頼度以下である場合に、前記焦点評価値がピークとなるフォーカスレンズ位置が検出されると、前記ピークとなるフォーカスレンズ位置に前記フォーカスレンズを移動させることを特徴とする請求項１乃至５のいずれか１項に記載の合焦制御装置。  
【請求項７】
前記制御手段は、前記信頼度が前記第１の信頼度以下である場合に前記焦点評価値がピークとなるフォーカスレンズ位置が検出されないと、予め定められた非合焦条件を満たす場合に非合焦であると判定することを特徴とする請求項１乃至６のいずれか１項に記載の合焦制御装置。
【請求項８】
前記制御手段は、前記非合焦条件が満たされない場合に、前記フォーカスレンズが可動範囲のいずれかの端に到達すると前記フォーカスレンズの移動方向を反転させることを特徴とする請求項７に記載の合焦制御装置。
【請求項９】
前記撮像素子は、撮像光学系の射出瞳を通過する光を受光する撮影用画素と前記射出瞳の一部領域を通過する光を受光する焦点検出用画素とを有し、
請求項１乃至８のいずれか１項に記載の合焦制御装置と、
前記合焦制御装置によって合焦と判定された際に前記撮像素子で得られた画像信号を記録媒体に記録する記録手段と、を有することを特徴とする撮像装置。
【請求項１０】
撮像素子からの出力信号に基づく一対の像信号を用いて位相差検出方式によってデフォーカス量を検出する第１の検出ステップと、
前記撮像素子からの出力信号に基づきコントラスト検出方式によって前記撮像素子からの出力信号の焦点評価値を検出する第２の検出ステップと、
前記デフォーカス量の信頼度を求める信頼度算出ステップと、
前記信頼度に基づいてフォーカスレンズを移動させる際の移動量を変更させる制御ステップと、を有し、
前記制御ステップでは、前記信頼度が第１の信頼度よりも低い第２の信頼度未満の場合、又は前記第１の信頼度以下であって第２の信頼度以上でありデフォーカス方向が現在のフォーカスレンズの移動方向と同一でない場合、前記デフォーカス量に拘わらず所定量だけ前記フォーカスレンズを移動させることを特徴とする合焦制御装置の制御方法。
【請求項１１】
合焦制御装置で用いられる制御プログラムであって、
前記合焦制御装置が備えるコンピュータに、
撮像素子からの出力信号に基づく一対の像信号を用いて位相差検出方式によってデフォーカス量を検出する第１の検出ステップと、
前記撮像素子からの出力信号に基づきコントラスト検出方式によって前記撮像素子からの出力信号の焦点評価値を検出する第２の検出ステップと、
前記デフォーカス量の信頼度を求める信頼度算出ステップと、
前記信頼度に基づいてフォーカスレンズを移動させる際の移動量を変更させる制御ステップと、を実行させ、
前記制御ステップでは、前記信頼度が第１の信頼度よりも低い第２の信頼度未満の場合、又は前記第１の信頼度以下であって第２の信頼度以上でありデフォーカス方向が現在のフォーカスレンズの移動方向と同一でない場合、前記デフォーカス量に拘わらず所定量だけ前記フォーカスレンズを移動させることを特徴とする制御プログラム。